(57)【要約】【課題】  輻射ノイズや伝導ノイズを低減でき、かつ、低損失化・高効率化を実現できる放電灯点灯装置を得る。【解決手段】  調光点灯時には、スイッチング素子５ａ、５ｂのゲートに接続されたスイッチングスピードを制御する抵抗素子４ａ、４ｂは調光用制御信号に応じて抵抗値が制御され、調光用制御信号に基づいて変化するインバータ回路１１の駆動周波数が高くなるに従い抵抗素子４ａ、４ｂの抵抗値が大きくなり、これによりスイッチングスピードが遅くなり、電圧変化率または電流変化率が小さくなり、ノイズが低減される。一方、ノイズが小さい定格点灯時または定格点灯に近い状態のインバータ回路１１の駆動周波数が低い場合には、抵抗素子４ａ、４ｂの抵抗値が小さくなり、これによりスイッチングスピードが速くなり、損失低減を図る。【選択図】  図１
2006294487.tif 000002
【特許請求の範囲】
【請求項１】
交流電源を整流し、直流電圧に変換する整流回路と、電圧型のスイッチング素子を有し、スイッチング素子のオンオフにより前記整流回路による直流電圧を高周波交流電圧に変換するインバータ回路と、このインバータ回路のスイッチング素子のゲートに設けられ、スイッチング素子のスイッチングスピードを可変する可変手段と、前記インバータ回路による高周波交流電圧により点灯するランプと、を備えた放電灯点灯装置であって、調光点灯時には、前記可変手段により定格点灯時よりも前記スイッチング素子のスイッチングスピードを遅くすることを特徴とする放電灯点灯装置。
【請求項２】
交流電源を整流し、直流電圧に変換する整流回路と、電圧型のスイッチング素子を有し、スイッチング素子のオンオフにより前記整流回路による直流電圧を高周波交流電圧に変換するインバータ回路と、このインバータ回路のスイッチング素子のゲートに設けられ、スイッチング素子のスイッチングスピードを可変する可変手段と、前記インバータ回路による高周波交流電圧により点灯するランプと、このランプの電流を検出するランプ電流検出手段と、を備えた放電灯点灯装置であって、前記ランプ電流検出手段によるランプ電流に基づいて調光点灯を検出した時には、前記可変手段により定格点灯時よりも前記スイッチング素子のスイッチングスピードを遅くすることを特徴とする放電灯点灯装置。
【請求項３】
交流電源を整流し、直流電圧に変換する整流回路と、電圧型のスイッチング素子を有し、スイッチング素子のオンオフにより前記整流回路による直流電圧を高周波交流電圧に変換するインバータ回路と、このインバータ回路のスイッチング素子のゲートに設けられ、スイッチング素子のスイッチングスピードを可変する可変手段と、前記インバータ回路による高周波交流電圧により点灯するランプと、このランプの電圧を検出するランプ電圧検出手段と、を備えた放電灯点灯装置であって、前記ランプ電圧検出手段によるランプ電圧に基づいて調光点灯を検出した時には、前記可変手段により定格点灯時よりも前記スイッチング素子のスイッチングスピードを遅くすることを特徴とする放電灯点灯装置。
【請求項４】
前記可変手段は、複数の抵抗を並列接続し、１つまたは複数の抵抗にスイッチを直列接続したことを特徴とする請求項１〜３のいずれかに記載の放電灯点灯装置。
【請求項５】
前記可変手段は、複数の抵抗を並列接続し、１つまたは複数の抵抗にスイッチおよびダイオードを直列接続したことを特徴とする請求項１〜３のいずれかに記載の放電灯点灯装置。
【請求項６】
前記可変手段は、複数の抵抗を並列接続し、１つまたは複数の抵抗にスイッチを直列接続し、このスイッチにダイオードを並列接続したことを特徴とする請求項１〜３のいずれかに記載の放電灯点灯装置。
【発明の詳細な説明】
【技術分野】
【０００１】
この発明は、高周波点灯を行う放電灯点灯装置に関するものである。
【背景技術】
【０００２】
近年、放電灯点灯装置において、小型化や高効率化の観点から、スイッチング素子をスイッチング（オン・オフ）することにより直流電圧を高周波電圧に変換し、この高周波電圧を放電灯を含む負荷回路へ印加して放電灯を高周波点灯するインバータ回路が用いられている。しかしながら、スイッチング素子において、半導体素子を用いた高速スイッチングやスイッチング周波数の高周波化により、輻射ノイズや伝導ノイズが大幅に増加し、周辺機器に悪影響を及ぼすことが知られている。
【０００３】
そこで、対策としてインバータ回路のスイッチング素子のスイッチングスピードを遅くすることによってスイッチング時の電圧変化率や電流変化率を小さくすることが考えられる。例えば、スイッチング素子としてＭＯＳＦＥＴやＩＧＢＴを用いた場合には、これらの素子のゲートに抵抗を設け、その抵抗値によってスイッチングスピードを調節でき、抵抗値大きくすることによってスイッチングスピードを遅くし、電圧変化率または電流変化率を小さくしてノイズ対策を行うことが一般的である。しかしながら、スイッチングスピードを遅くすることによってスイッチング損失が増加し、スイッチング素子の温度上昇、機器の効率低下を招いてしまうという別の問題点が生じる。
【０００４】
また、一般的な汎用のインバータ回路やスイッチング電源装置などでは、負荷変動によりスイッチング素子に流れる電流が変化するため、スイッチング素子に流れる電流に応じて、ノイズが大きくなる電流領域のみスイッチングスピードを遅くしている。（例えば、特許文献１参照。）
【０００５】
【特許文献１】特開平５−３２８７４６号公報（第３―４頁、第３図）
【発明の開示】
【発明が解決しようとする課題】
【０００６】
従来の放電灯点灯装置において、インバータ回路を用いて高周波点灯する調光機能を有するものは、調光点灯時にインバータの駆動周波数を高くし、バラストコイルのインピーダンスを大きくすることによってランプ電流を絞る一方、ランプの寿命低下防止のためフィラメント予熱電流を増加させるため、結果的にはスイッチング素子に流れる電流の変化量は小さくなってしまい、特許文献１のようなスイッチング素子に流れる電流量に基づく制御を行うことができず、調光によるインバータの駆動周波数の増加が輻射ノイズや伝導ノイズの増加につながってしまうという問題点があった。また、スイッチング素子のスイッチングスピードを調整するゲートの抵抗値を大きくし、定格点灯時から調光点灯時までのすべての駆動周波数領域におけるスイッチングスピードを遅くしてしまうと、機器の効率低下という問題点が依然として解決できずに残ってしまうことになる。
【０００７】
この発明は、上述のような課題を解決するためになされたもので、輻射ノイズや伝導ノイズを低減でき、かつ、低損失化・高効率化を実現できる放電灯点灯装置を得るものである。
【課題を解決するための手段】
【０００８】
この発明に係る放電灯点灯装置においては、交流電源を整流し、直流電圧に変換する整流回路と、電圧型のスイッチング素子を有し、スイッチング素子のオンオフにより前記整流回路による直流電圧を高周波交流電圧に変換するインバータ回路と、このインバータ回路のスイッチング素子のゲートに設けられ、スイッチング素子のスイッチングスピードを可変する可変手段と、前記インバータ回路による高周波交流電圧により点灯するランプと、を備えた放電灯点灯装置であって、調光点灯時には、前記可変手段により定格点灯時よりも前記スイッチング素子のスイッチングスピードを遅くするものである。
【発明の効果】
【０００９】
この発明は、ノイズが大きくなる調光点灯時ではスイッチングスピードが遅くなりノイズ低減を図ることができ、ノイズが小さくなる定格点灯時または定格点灯に近い状態の時ではスイッチングスピードが速くなり、損失低減を図ることができる。
【発明を実施するための最良の形態】
【００１０】
実施の形態１．
図１はこの発明の実施の形態１を示す放電灯点灯装置の構成図である。図１において、商用交流電源１に整流回路２を介してＭＯＳＦＥＴやＩＧＢＴなどの電圧型のスイッチング素子５ａ、５ｂとカップリングコンデンサ６からなるハーフブリッジ型のインバータ回路１１が接続され、インバータ回路１１の出力にバラストコイル７、共振コンデンサ８、及びランプ９からなる負荷１０が接続されている。
【００１１】
また、スイッチング素子５ａ、５ｂのゲートにスイッチングスピード変化させる抵抗素子４ａ、４ｂと駆動回路３が接続され、抵抗素子４ａ、４ｂには抵抗素子４ａ、４ｂの抵抗値を制御する制御回路１２が接続されている。さらに、調光器１４からは調光点灯用の制御信号が出力され、インターフェース１３を介して駆動回路３、制御回路１２に入力されている。なお、調光器１４は放電灯点灯装置と一体的に設けても、別体に設けてもどちらでもよく、また、調光制御は使用者が直接調光量を入力してもよく、あるいは予め設定した調光量と照度センサ（図示せず）による検出値との差に基づき、調光量を自動入力するようにしてもよい。
【００１２】
次に、動作について説明する。
まず、商用交流電源１は整流回路２によって整流、平滑され、直流電圧に変換される。駆動回路３は所定のスイッチング信号を発生させ、スイッチング素子５ａ、５ｂを交互にオン、オフさせ、これによって、整流された直流電圧は高周波交流電圧に変換され、ランプ９に高周波交流電流が流れてランプ９を点灯させる。
また、調光点灯時には、調光器１４から発生する調光用制御信号に基づいてインバータ回路１１の駆動周波数を変化させ、バラストコイル７のインピーダンスを変化させることでランプ電流を調節する。インバータ回路１１の駆動周波数が高くなるほどバラストコイル７のインピーダンスが高くなりランプ電流が絞られてランプ９は暗くなる。なお、調光器１４から発生する調光用制御信号は例えばＰＷＭ（パルス幅変調）信号で、パルス幅に応じて調光量が決まる。
【００１３】
ここで、一般的にＭＯＳＦＥＴやＩＧＢＴなどの電圧型スイッチング素子のスイッチングスピードはスイッチング素子のゲートに接続する抵抗の値に依存し、抵抗値が大きいとスイッチングスピードは遅くなり、抵抗値が小さいとスイッチングスピードは速くなる。
そこで、調光点灯時には、スイッチング素子５ａ、５ｂのゲートに接続されたスイッチングスピードを制御する抵抗素子４ａ、４ｂは調光用制御信号に応じて抵抗値が制御され、調光用制御信号に基づいて変化するインバータ回路１１の駆動周波数が高くなるに従い抵抗素子４ａ、４ｂの抵抗値が大きくなり、これによりスイッチングスピードが遅くなり、電圧変化率または電流変化率が小さくなり、ノイズが低減される。一方、ノイズが小さい定格点灯時または定格点灯に近い状態のインバータ回路１１の駆動周波数が低い場合には、抵抗素子４ａ、４ｂの抵抗値が小さくなり、これによりスイッチングスピードが速くなり、損失低減を図る。
【００１４】
以上のように、インバータ回路１１の駆動周波数が高い領域（調光点灯時）ではノイズが大きいためスイッチングスピードを遅くしてノイズ低減を図ることができ、駆動周波数が低い領域（定格点灯時または定格点灯に近い状態の時）ではノイズが小さいためスイッチングスピードを速くして損失低減を図ることができる。
【００１５】
次に、抵抗素子４ａ、４ｂの構成および動作について詳細に説明する。
図２はこの発明の実施の形態１を示す放電灯点灯装置の抵抗素子の構成図である。図において、抵抗１６ａと抵抗１６ｂが並列に接続され、抵抗１６ａと直列にスイッチ手段１５ａが接続されている。スイッチ手段１５ａは、調光器１４から発生する調光用制御信号に基づいて、制御回路１２によりオン、オフ制御される。なお、スイッチ手段１５ａは機械スイッチや半導体スイッチなどが用いられる。
【００１６】
上記構成によれば、スイッチ手段１５ａをオン又はオフすることにより抵抗素子４の抵抗値を切り替えることができる。抵抗１６ａと抵抗１６ｂの合成抵抗はスイッチング素子５のスイッチングスピードを速くするのに対応する値として小さく設定され、抵抗１６ｂはスイッチング素子５のスイッチングスピードを遅くするのに対応する値として大きく設定される。
したがって、ノイズが小さくなるインバータ回路１１の駆動周波数が低い領域（定格点灯時または定格点灯に近い状態の時）ではスイッチ１５ａをオンし、抵抗素子４は抵抗１６ａと抵抗１６ｂの合成抵抗となりスイッチングスピードが速くなり、損失低減を図ることができる。また、ノイズが大きくなるインバータ回路１１の駆動周波数が高い領域（調光点灯時）ではスイッチ１５ａをオフし、抵抗素子４が抵抗１６ｂのみとなりスイッチングスピードが遅くなりノイズ低減を図ることができる。
【００１７】
なお、図２に示す構成では抵抗値の制御は２段階であるが、抵抗及びスイッチを並列に複数段設けることによって複数の抵抗値の制御が可能であることはいうまでもない。図３はこの放電灯点灯装置の別のインバータ回路１１の駆動周波数と抵抗素子４の抵抗値との関係図であり、抵抗値は一例として３段階の制御を行うものを示す。
また、抵抗素子４は図２に示す構成に特定されるものではなく、別の構成でもよく、可変抵抗、電子ボリューム等を用いて連続的に抵抗値を制御してもよい。
【００１８】
次に、図４はこの発明の実施の形態１を示す放電灯点灯装置の別の抵抗素子の構成図である。図において、抵抗１６ｃとダイオード１７ａとスイッチ手段１５ｂが直列に接続され、これらと抵抗１６ｄが並列に接続されている。スイッチ手段１５ｂは、調光器１４から発生する調光用制御信号に基づいて、制御回路１２によりオン、オフ制御される。
【００１９】
上記構成によれば、スイッチ１５ｂをオンした場合はダイオード１７ａの働きによって抵抗素子４はスイッチング素子５がターンオフする時のみ抵抗１６ｃと抵抗１６ｄの並列合成抵抗となり、ターンオン時の抵抗素子４は抵抗１６ｄとなる。また、スイッチ１５ｂをオフした場合はターンオン時、ターンオフ時ともに抵抗素子４は抵抗１６ｄとなる。
【００２０】
抵抗１６ｃと抵抗１６ｄの合成抵抗はスイッチング素子５のスイッチングスピードを速くするため小さい値に設定され、抵抗１６ｄはスイッチング素子５のスイッチングスピードを遅くするため大きい値に設定される。
したがって、インバータ回路１１の駆動周波数が高い領域（調光点灯時）ではスイッチ１５ｂをオフし、抵抗素子４は抵抗１６ｄとなりスイッチング素子５のスイッチングスピードは遅くなる。インバータ回路１１の駆動周波数が低い領域（定格点灯時または定格点灯に近い状態の時）ではスイッチ１５ｂをオンし、スイッチング素子５がターンオン時は抵抗素子４が抵抗１６ｄとなりスイッチング素子５のスイッチングスピードは遅くなり、スイッチング素子５がターンオフ時は抵抗素子４が抵抗１６ｃと抵抗１６ｄの合成抵抗となりスイッチング素子５のスイッチングスピードは速くなる。
【００２１】
これより、ノイズが小さくなるインバータの駆動周波数が低い領域（定格点灯時または定格点灯に近い状態の時）で、スイッチング素子５は損失が大きいターンオフ時のみスイッチングスピードが速くなり、損失の比較的小さいターンオン時はスイッチングスピードが遅くなり損失低減を図ることができる。また、ノイズが大きくなるインバータ駆動周波数が高い領域（調光点灯時）ではスイッチング素子５がターンオン、ターンオフ両方のスイッチングスピードが遅くなりノイズ低減を図ることができる。
なお、図４に示す構成では抵抗値の制御は２段階であるが、抵抗、スイッチ、ダイオードを並列に複数段設けることによって複数の抵抗値の制御が可能であることはいうまでもない。
【００２２】
次に、図５はこの発明の実施の形態１を示す放電灯点灯装置の別の抵抗素子の構成図である。図において、抵抗１６ｅと抵抗１６ｆが並列に接続され、抵抗１６ｅとスイッチ手段１５ｃが直列に接続され、スイッチ手段１５ｃとダイオード１７ｂが並列に接続された構成である。スイッチ手段１５ｃは調光器１４から発生する調光用制御信号に基づいて、制御回路１２によりオン、オフ制御される。
【００２３】
上記構成によれば、スイッチ１５ｃをオンした場合はスイッチング素子５のターンオン時、ターンオフ時ともに抵抗素子４は抵抗１６ｅと抵抗１６ｆの合成抵抗となり、スイッチ１５ｃをオフした場合はターンオン時のみ抵抗素子４は抵抗１６ｆとなり、ターンオフ時は抵抗１６ｅと抵抗１６ｆの合成抵抗となる。
【００２４】
抵抗１６ｅと抵抗１６ｆの合成抵抗はスイッチング素子５のスイッチングスピードを速くするため小さい値に設定され、抵抗１６ｆはスイッチング素子５のスイッチングスピードを遅くするため大きい値に設定される。
したがって、インバータの駆動周波数が高い領域（調光点灯時）ではスイッチ１５ｃをオフし、ターンオンのみ抵抗素子４が抵抗１６ｆとなりスイッチング素子５のスイッチングスピードが遅くなる。ターンオフ時はゲート抵抗が抵抗１６ｅと抵抗１６ｆの合成抵抗となり、スイッチング素子５のスイッチングスピードが速くなる。これによって損失の大きいターンオフ時はスイッチング素子５のスイッチングスピードを速くして損失を低減し、ターンオン時のみスイッチング素子５のスイッチングスピードを遅くしてノイズ低減を図る。
インバータ回路１１の駆動周波数が低い領域（定格点灯時または定格点灯に近い状態の時）ではスイッチ１５ｃをオンし、ターンオン、ターンオフいずれも抵抗素子４は抵抗１６ｅと抵抗１６ｆの合成抵抗となり、スイッチング素子５のスイッチングスピードは速くなる。
【００２５】
これにより、ノイズの小さいインバータ回路１１の駆動周波数が低い領域（定格点灯時または定格点灯に近い状態の時）においては損失低減を図ることができる。また、インバータ駆動周波数が高い領域（調光点灯時）ではノイズ低減を図ることができる。
なお、図５に示す構成では抵抗値の制御は２段階であるが、抵抗、スイッチ、ダイオードを並列に複数段設けることによって複数の抵抗値の制御が可能であることはいうまでもない。
以上のように、調光用制御信号に応じてスイッチング素子５のスイッチングスピードを適切に調整することにより低ノイズと低損失の両立を図ることができる。
【００２６】
実施の形態２．
上記実施の形態１では、調光器１４から発生する調光用制御信号に基づいてスイッチング素子５ａ、５ｂのスイッチングスピードが最適となるよう抵抗素子４ａ、４ｂの抵抗値を調節したが、調光用制御信号以外でもインバータ回路の駆動周波数に応じて変化する信号であれば実施の形態１と同様の制御が可能である。そこで、本実施の形態２では、インバータ回路の駆動周波数に応じて変化する信号として調光用制御信号の代わりにランプ電流を用いたものについて説明する。
【００２７】
図６はこの発明の実施の形態２を示す放電灯点灯装置の構成図である。図において、上記実施の形態１と同一または相当部分には同一符号を付け、整流回路２、ハーフブリッジ型のインバータ回路１１、負荷回路１０、駆動回路３、抵抗素子４ａ、４ｂとそれを制御する制御回路１２、調光器１４、インターフェース１３から構成されるが、実施の形態１ではスイッチング素子５ａ、５ｂのスイッチンスピードの制御を調光器１４から発生する調光用制御信号に基づいて行うのに対して、本実施の形態２ではランプ電流値に基づいて行うものであり、ランプ電流検出回路１８を設ける。ランプ電流検出回路１８の出力は制御回路１２に入力される。
【００２８】
次に動作について説明するが、実施の形態１と同一部分は説明を省略し、特徴部分について説明する。
調光点灯時は、インバータ回路１１の駆動周波数を高くしてバラストコイル７のインピーダンスを大きくすることによってランプ電流を小さくする。従ってランプ電流を検出することによってインバータ回路１１の駆動周波数の推測が可能となる。
これより、調光点灯時のインバータ回路１１の駆動周波数が高くなるランプ電流が小さい領域では、ランプ電流検出回路１８によりランプ電流が小さいことを検出し、制御回路１２は抵抗素子４ａ、４ｂの抵抗値を大きくし、スイッチングスピードが遅くする。また、定格点灯時または定格点灯に近い状態のインバータ回路１１の駆動周波数が低くなるランプ電流が大きい領域では、ランプ電流検出回路１８によりランプ電流が大きいことを検出し、制御回路１２は抵抗素子４ａ、４ｂの抵抗値を小さくし、スイッチングスピードを速くする。これによってノイズの大きい領域ではノイズ低減を図り、ノイズが小さい領域においては損失低減を図る。
なお、抵抗素子４ａ、４ｂは上記実施の形態１の図２、図４、図５のいずれの構成を用いてもよいことはいうまでもない。
【００２９】
以上のように、ランプ電流値に応じてスイッチング素子５のスイッチングスピードを適切に調整することによって低ノイズと低損失の両立を図ることができる。
【００３０】
実施の形態３．
上記実施の形態２では、インバータ回路１１の駆動周波数に応じて変化する信号としてランプ電流を用い、これに基づいてスイッチング素子５ａ、５ｂのスイッチングスピードが最適となるよう抵抗素子４ａ、４ｂの抵抗値を調節したものを示したが、本実施の形態３では、インバータ回路１１の駆動周波数に応じて変化する信号としてランプ電圧を用いたものについて説明する。
【００３１】
図７はこの発明の実施の形態３を示す放電灯点灯装置の構成図である。図において、上記実施の形態１と同一または相当部分には同一符号を付け、整流回路２、ハーフブリッジ型のインバータ回路１１、負荷回路１０、駆動回路３、抵抗素子４ａ、４ｂとそれを制御する制御回路１２、調光器１４、インターフェース１３から構成されるが、さらにスイッチング素子５ａ、５ｂのスイッチングスピードの制御をランプ電圧値に基づいて行うためランプ電圧検出回路１９を設ける。ランプ電圧検出回路１９の出力は制御回路１２に入力される。
【００３２】
次に動作を説明するが、実施の形態１と同一部分は説明を省略し、特徴部分について説明する。
調光点灯時は、インバータ回路１１の駆動周波数を高くしてバラストコイル７のインピーダンスを大きくすることによってランプ電流を小さくするが、放電灯は負性抵抗の特性を示すため、ランプ電流が大きくなるとランプ電圧は小さくなり、ランプ電流が小さくなるとランプ電圧は高くなる。従ってランプ電圧を検出することによってインバータ回路１１の駆動周波数の推測が可能となる。
【００３３】
インバータ回路１１の駆動周波数が高くなる、ランプ電圧が高い領域では、ランプ電圧検出回路１９によりランプ電圧が高いことを検出し、制御回路１２は抵抗素子４ａ、４ｂの抵抗値を大きくし、スイッチングスピードを遅くする。また、インバータ回路１１の駆動周波数が低くなるランプ電圧が低い領域では、ランプ電圧検出回路１９によりランプ電圧が低いことを検出し、制御回路１２は抵抗素子４ａ、４ｂの抵抗値を小さくし、スイッチングスピードを速くする。これによってノイズの大きい領域ではノイズ低減を図り、ノイズが小さい領域においては損失低減を図る。
なお、抵抗素子４ａ、４ｂは上記実施の形態１で示した図２、図４、図５のいずれの構成を用いてもよいことはいうまでもない。
【００３４】
以上のように、ランプ電圧値に応じてスイッチング素子のスイッチングスピードを適切に調整することによって低ノイズと低損失の両立を図ることができる。
【図面の簡単な説明】
【００３５】
【図１】この発明の実施の形態１を示す放電灯点灯装置の構成図である。
【図２】この発明の実施の形態１を示す放電灯点灯装置の抵抗素子の構成図である。
【図３】この発明の実施の形態１を示す放電灯点灯装置の別のインバータ回路１１の駆動周波数と抵抗素子４の抵抗値との関係図である。
【図４】この発明の実施の形態１を示す放電灯点灯装置の別の抵抗素子の構成図である。
【図５】この発明の実施の形態１を示す放電灯点灯装置の別の抵抗素子の構成図である。
【図６】この発明の実施の形態２を示す放電灯点灯装置の構成図である。
【図７】この発明の実施の形態３を示す放電灯点灯装置の構成図である。
【符号の説明】
【００３６】
１  商用交流電源、２  整流回路、３  駆動回路、４  抵抗素子、  ５  スイッチング素子、６  カップリングコンデンサ、７  バラストコイル、  ８  共振コンデンサ、９  ランプ、１０  負荷回路、  １１  インバータ回路、１２  制御回路、  １３  インターフェース  １４  調光器、１５  スイッチ手段、  １６  抵抗、１７  ダイオード、１８  電流検出回路、１９  電圧検出回路。
【図１】
2006294487.tif 000003
【図２】
2006294487.tif 000004
【図３】
2006294487.tif 000005
【図４】
2006294487.tif 000006
【図５】
2006294487.tif 000007
【図６】
2006294487.tif 000008
【図７】
2006294487.tif 000009